(57)【要約】【課題】装置本体の大型化を招くことなく、情報を非接触記録媒体に記録する機能と、情報を記録した２次元バーコードで表示する機能と、を併せ持つ機器の利用者に対する操作性や、サービスを低下させない情報読取装置を提供する。【解決手段】ゲート通過確認装置１は、非接触記録媒体１０との無線通信エリア内に位置する非接触記録媒体１０を検出すると、この非接触記録媒体１０の検出から一定時間経過するまでの間に、読取エリアに位置する２次元バーコード１１を検出すると、この２次元バーコード１１にチケット情報が記録されていると判定する。そして、２次元バーコード１１から読み取ったチケット情報を用いて処理を行う。【選択図】図１
2007193390.tif 000002
【特許請求の範囲】
【請求項１】
読取エリア内にバーコードが位置しているかどうかを検出するとともに、この読取エリア内に位置しているバーコードを光学的に読み取り、記録されている情報を取得するバーコード読取手段と、
前記バーコード読取手段の前記読取エリアの周辺に配置したアンテナにより形成された無線通信エリア内に非接触記録媒体が位置しているかどうかを検出するとともに、この無線通信エリア内に位置している非接触記録媒体と無線通信を行い、この非接触記録媒体に記録されている情報を取得する無線通信手段と、
前記無線通信手段が前記無線通信エリア内に位置する非接触記録媒体を検出したとき、この非接触記録媒体の検出から、予め定められた時間経過するまでの間に、前記バーコード読取手段が前記読取位置に位置するバーコードを検出しなければ、この非接触記録媒体に記録されている情報を処理対象の情報であると判定し、反対に前記予め定められた時間経過するまでの間に、前記バーコード読取手段が前記読取位置に位置するバーコードを検出すると、このバーコードで記録されている情報を処理対象の情報であると判定する判定手段と、を備えた情報読取装置。
【請求項２】
前記判定手段は、前記バーコード読取手段が前記読取エリア内に位置するバーコードを検出したとき、前記無線通信手段が前記無線通信エリア内に位置する非接触記録媒体を検出しているかどうかにかかわらず、今回検出したバーコードで記録されている情報を処理対象の情報であると判定する手段である請求項１に記載の情報読取装置。
【請求項３】
前記無線通信手段が、前記無線通信エリア内に位置する非接触記録媒体を検出した場合、この非接触記録媒体に記録されている情報が前記判定手段により処理対象の情報であると判定されるまで、前記無線通信手段に対して、この非接触記録媒体からの情報の出力を待機させるとともに、前記判定手段により非接触記録媒体に記録されている情報が処理対象の情報であると判定されなかった場合に、前記無線通信手段に対して、この非接触記録媒体からの情報の出力を中止させる情報出力制御手段を備えた請求項１または２に記載の情報読取装置。
【発明の詳細な説明】
【技術分野】
【０００１】
この発明は、バーコードで記録されている情報を取得する機能、および無線通信機能を有する非接触記録媒体に記録されている情報を取得する機能を有する情報読取装置に関する。
【背景技術】
【０００２】
従来、空港等では、利用者の利便性を向上させるために、電子チケットが利用されている。電子チケットとしては、無線通信機能を有する非接触記録媒体にチケット情報を記録する方式や、２次元バーコード（例えばＱＲコード）でチケット情報を記録する方式による、ものが一般に普及している。また、電子チケットの普及にともない、非接触記録媒体や、２次元バーコードからチケット情報を取得し、航空券（チケット）を発券する装置や、セキュリティゲートにおける利用者の通過を確認する装置等が実用化されている。利用者は、インタネット等を利用することにより、電子チケットを比較的簡単に取得できる。
【０００３】
一般に普及している電子チケットには、上述したように、チケット情報を非接触記録媒体に記録する方式や、チケット情報を２次元バーコードで記録する方式の、２つがある。このため、非接触記録媒体による電子チケットを利用する利用者と、２次元バーコードによる電子チケットを利用する利用者と、が混在している状況にある。そこで、非接触記録媒体による電子チケット、および２次元バーコードによる電子チケットの両方に対して、チケット情報の読み取りや、読み取ったチケット情報に基づいて航空券の発券や、ゲートの通過確認等にかかる処理が行える装置の開発が強く要望されている。
【０００４】
また、特許文献１において、バーコードを光学的に読み取ることで、そのバーコードの情報を取得するバーコードリーダと、無線通信機能を有するＩＤタグ（非接触記録媒体）との無線通信により、このＩＤタグに記録されている情報を取得する無線通信部と、を備えたタグ用リーダライタと、を有する装置が提案されている。この装置は、バーコードから情報を取得するのか、ＩＤタグから情報を取得するのかを操作者に切り換えさせる構成であった。また、バーコード、およびＩＤタグの検出機能を設け、この検出機能における検出結果に基づいて、上述の切り換えを行う構成や、この検出機能がバーコード、およびＩＤタグの両方を検出したときには、バーコード、およびＩＤタグから順に情報を取得する構成についても示されている。
【特許文献１】特許第３５１４１７１号公報
【発明の開示】
【発明が解決しようとする課題】
【０００５】
しかしながら、特許文献１で提案されている構成では、各利用者が非接触記録媒体による電子チケット、または２次元バーコードによる電子チケットの選択にかかる操作を行わなければならず、操作性を低下させるという問題がある。また、この選択にかかる操作を不要にし、非接触記録媒体を検出したときには、この非接触記録媒体から情報を取得し、２次元バーコードを検出したときには、この２次元バーコードから情報を取得する構成も考えられるが、以下に示す問題が生じる。
【０００６】
チケット情報を非接触記録媒体に記録する機能、およびチケット情報を記録した２次元バーコードを表示する表示機能を併せ持つ携帯電話等の機器がある。この種の機器であっても、チケット情報を、非接触記録媒体、または２次元バーコードのどちらか一方で持っている。通常、利用者はチケット情報を非接触記録媒体に記録している場合、チケット情報が記録されていない２次元バーコードを表示部に表示することや、２次元バーコードを装置に読み取らせるために、２次元バーコードを表示した表示部を装置に近づけることをしない。このため、チケット情報が非接触記録媒体に記録されている場合に、２次元バーコードを検出することはなく、検出した非接触記録媒体からチケット情報を取得するので特に問題はない。しかし、利用者がチケット情報を２次元バーコードで持っている場合、チケット情報が記録されている２次元バーコードを表示部に表示し、これを読み取らせるために装置に近づける。このため、非接触記録媒体との無線通信エリアと、２次元バーコードの読取エリアと、が重なっていると、非接触記録媒体、および２次元バーコードの両方を検出し、それぞれから情報を取得する。そして、チケット情報が記録されていない非接触記録媒体から取得した情報を用いた処理がエラーになり、その結果、利用者に対する処理が適正に行われず、サービスを低下させるという問題がある。
【０００７】
なお、非接触記録媒体との無線通信エリアと、２次元バーコードの読取エリアと、が重ならないように別々に配置することも考えられるが、この方法では、各利用者が、非接触記録媒体を位置させる無線通信エリア、２次元バーコードを位置させる読取エリアを確認することになり、結果的に操作性を低下させるとともに、装置本体が大型化するという問題が生じる。
【０００８】
この発明の目的は、装置本体の大型化を招くことなく、情報を非接触記録媒体に記録する機能と、情報を記録した２次元バーコードで表示する機能と、を併せ持つ機器の利用者に対する操作性や、サービスを低下させない情報読取装置を提供することにある。
【課題を解決するための手段】
【０００９】
この発明の情報読取装置は、上記課題を解決するために、以下の構成を備えている。
【００１０】
（１）読取エリア内にバーコードが位置しているかどうかを検出するとともに、この読取エリア内に位置しているバーコードを光学的に読み取り、記録されている情報を取得するバーコード読取手段と、
前記バーコード読取手段の前記読取エリアの周辺に配置したアンテナにより形成された無線通信エリア内に非接触記録媒体が位置しているかどうかを検出するとともに、この無線通信エリア内に位置している非接触記録媒体と無線通信を行い、この非接触記録媒体に記録されている情報を取得する無線通信手段と、
前記無線通信手段が前記無線通信エリア内に位置する非接触記録媒体を検出したとき、この非接触記録媒体の検出から、予め定められた時間経過するまでの間に、前記バーコード読取手段が前記読取位置に位置するバーコードを検出しなければ、この非接触記録媒体に記録されている情報を処理対象の情報であると判定し、反対に前記予め定められた時間経過するまでの間に、前記バーコード読取手段が前記読取位置に位置するバーコードを検出すると、このバーコードで記録されている情報を処理対象の情報であると判定する判定手段と、を備えている。
【００１１】
この構成では、バーコード読取手段が、読取エリア内に位置するバーコードを光学的に読み取り、このバーコードの情報を取得する。また、無線通信手段が、無線通信エリア内に位置する非接触記録媒体と無線通信を行って、この非接触記録媒体が記憶する情報を取得する。無線通信エリアは、バーコード読取手段の読取エリア周辺に配置したアンテナから数ｃｍの範囲である。無線通信エリアは、読取エリアの略全体を含んでいる。このため、処理対象の情報を記録した非接触記録媒体を位置させる場所と、処理対象の情報を記録したバーコードを位置させる場所と、が略同じ場所である。すなわち、利用者が、処理対象の情報を非接触記録媒体、またはバーコードのどちらで持っていても、この処理対象の情報を記録させた非接触記録媒体、またはバーコードを位置させる場所が略同じであるので、操作性を低下させることがないとともに、装置本体を大型化させることもない。
【００１２】
また、無線通信手段は、非接触記録媒体に対するポーリングを数ｍｓ〜十数ｍｓ間隔で繰り返し、このポーリングに対する非接触記録媒体からの応答があったときに、無線通信エリアに位置する非接触記録媒体を検出する。したがって、非接触記録媒体は、処理対象の情報を記録しているかどうかにかかわらず検出される。一方、バーコード読取手段は、読取エリア内の走査を繰り返し、読取エリア内に位置するバーコードを検出する。通常、利用者はチケット情報を非接触記録媒体に記録している場合、チケット情報が記録されていない２次元バーコードを表示部に表示することや、２次元バーコードを装置に読み取らせるために、２次元バーコードを表示した表示部を装置に近づけることをしない。したがって、処理対象の情報がバーコードで記録されていない場合には、バーコードが検出されない。また、バーコードが検出された場合には、処理対象の情報は非接触記録媒体に記録されているのではなく、バーコードに記録されている可能性が高い。上述したように、無線通信エリアが読取エリアの略全体を含む空間に形成されているので、情報を非接触記録媒体に記録する機能と、情報を記録したバーコードを表示する機能と、を併せ持つ携帯電話等の機器で処理対象の情報をバーコードで持っている場合、バーコードが検出される前に、非接触記録媒体が検出される。利用者がバーコードを読取エリアに近づける速度にもよるが、非接触記録媒体の検出よりも、数１００ｍｓ程度遅れてバーコードが検出される。
【００１３】
判定手段が、無線通信手段において無線通信エリア内に位置する非接触記録媒体が検出されてから、予め定められた時間、例えば１ｓ、経過するまでの間に、バーコード読取手段によりバーコードが検出されると、バーコードに記録されている情報を処理対象の情報であると判定し、予め定められた時間経過するまでの間に、バーコード読取手段によりバーコードが検出されなければ、非接触記録媒体に記録されている情報を処理対象の情報であると判定する。したがって、上記の予め定められた時間を、情報を非接触記録媒体に記録する機能と、情報を記録したバーコードを表示する機能と、を併せ持つ携帯電話等の機器が利用された場合に、無線通信手段による非接触記録媒体の検出から、バーコード読取手段により処理対象の情報が記録されたバーコードが検出されるまでの遅れ時間に相当する時間とすることで、処理対象の情報が、非接触記録媒体に記録されているのか、バーコードに記録されているのかを適正に判定することができる。これにより、処理対象の情報（例えば、チケット情報）を非接触記録媒体に記録する機能と、処理対象の情報を記録させたバーコードを表示する機能と、を併せ持つ携帯電話等の機器の利用者に対しても、適正な処理が行え、利用者に対するサービスを低下させることもない。
【００１４】
（２）前記判定手段は、前記バーコード読取手段が前記読取エリア内に位置するバーコードを検出したとき、前記無線通信手段が前記無線通信エリア内に位置する非接触記録媒体を検出しているかどうかにかかわらず、今回検出したバーコードで記録されている情報を処理対象の情報であると判定する手段である。
【００１５】
この構成では、バーコード読取手段が読取エリア内に位置するバーコードを検出したときに、このバーコードで記録されている情報を、処理対象の情報であると判定するので、処理対象の情報がバーコードで記録されている場合の処理を、スムーズに行わせることができる。
【００１６】
（３）前記無線通信手段が、前記無線通信エリア内に位置する非接触記録媒体を検出した場合、この非接触記録媒体に記録されている情報が前記判定手段により処理対象の情報であると判定されるまで、前記無線通信手段に対して、この非接触記録媒体からの情報の出力を待機させるとともに、前記判定手段により非接触記録媒体に記録されている情報が処理対象の情報であると判定されなかった場合に、前記無線通信手段に対して、この非接触記録媒体からの情報の出力を中止させる情報出力制御手段を備えている。
【００１７】
この構成では、無線通信手段が非接触記録媒体から処理対象の情報ではない、無用な情報を取得しても、この情報の出力を中止させることができる。したがって、この出力された情報を処理する上位装置において、無用な処理が行われるのを防止できる。
【発明の効果】
【００１８】
この発明によれば、処理対象の情報が、非接触記録媒体に記録されている情報であるか、バーコードに記録されている情報であるかを適正に判定することができるので、処理対象の情報を非接触記録媒体に記録する機能と、処理対象の情報を記録させたバーコードを表示する機能と、を併せ持つ携帯電話等の機器の利用者に対しても適正な処理が行え、利用者に対するサービスを低下させることがないとともに、操作性の低下や、装置本体の大型化という問題が生じることもない。
【発明を実施するための最良の形態】
【００１９】
以下、この発明の実施形態である情報読取装置を適用したゲート通過確認装置について説明する。
【００２０】
図１は、この発明の実施形態であるゲート通過確認装置の外観を示す図であり、図２は、この発明の実施形態であるゲート通過確認装置の構成を示すブロック図である。この実施形態のゲート通過確認装置１は、例えば空港のセキュリティゲート（以下、単にゲートと言う。）における利用者の通過を確認する装置である。このゲート通過確認装置１は、無線通信機能を有する非接触記録媒体１０からチケット情報を取得する機能、およびＱＲコード等の２次元バーコード１１からチケット情報を取得する機能を有している。この実施形態のゲート通過確認装置１は、装置本体の動作を制御する制御部２と、無線通信機能を有する非接触記録媒体１０と無線通信を行う無線通信部３と、２次元バーコード１１を光学的に読み取るバーコード読取部４と、利用者に対する案内画面等を表示する表示部５と、装置本体に対する入力操作を受け付ける操作部６と、利用者に対してゲートの通過確認票等を印字し、発行する印字部７と、図示していない上位装置と通信する通信部８と、を備えている。
【００２１】
無線通信部３の無線通信エリアは、バーコード読取部４の読取エリア４ａの周囲に設けられたアンテナコイル３ａにより形成されており、図３（Ａ）に示すように、アンテナコイル３ａから数ｃｍの空間である。バーコード読取部４は、図３（Ｂ）に示すように、本体表面に形成された読取エリア４ａにかざされた２次元バーコードを光学的に読み取る。無線通信部３の無線通信エリアは、図３に示すように、バーコード読取部４の読取エリア４ａの略全体を含んだ空間であり、読取エリア４ａよりも広い空間である。このため、物体をバーコード読取部４の読取エリア４ａに位置させる場合、この物体は、まず無線通信エリアに入り、その後読取エリア４ａに位置させられる。
【００２２】
したがって、この物体が無線通信機能を有する非接触記録媒体１０を有するものである場合、無線通信部３において、無線通信エリア内に位置する非接触記録媒体１０が検出された後、この物体は読取エリア４ａに位置させられる。また、この物体が、２次元バーコードを表示する機能を有し、利用者が２次元バーコード１１を表示している表示面を読取エリア４ａに対向させて位置させたときには、バーコード読取部４が読取エリア４ａ内に位置する２次元バーコード１１を検出する。このため、この物体が、チケット情報を非接触記録媒体１０に記録する機能、およびチケット情報を記録した２次元バーコード１１を表示する表示機能を併せ持つ携帯電話等の機器であれば、利用者がバーコードを表示した表示面を読取エリアに近づける速度にもよるが、非接触記録媒体１０の検出よりも、数１００ｍｓ程度遅れて２次元バーコード１１が検出される。
【００２３】
なお、上記の物体が非接触記録媒体１０を有していない場合には、無線通信部３において非接触記録媒体１０が検出されることなく、読取エリア４ａ内に位置される。このとき、２次元バーコード１１が読取エリア４ａに対向していれば、バーコード読取部４が、この２次元バーコードを検出する。また、上記の物体は、２次元バーコード１１を用紙等に印刷した印刷物であってもよい。
【００２４】
表示部５は、利用者に対する操作案内画面や、無線通信部３またはバーコード読取部４が取得したチケット情報に応じた情報を表示画面５ａに表示する。表示画面５ａの表面には、タッチパネル６ａが設けられている。操作部６は、利用者や係員等によるタッチパネル６ａの操作を、装置本体に対する入力操作として受け付ける。印字部７は、装置本体に収納されているロール紙等の印字用紙に、ゲートの通過時刻や、チケット情報等を含む通過情報を印字した通過確認票を発行する。通信部８は、無線通信部３、またはバーコード読取部４において取得したチケット情報を、図示していない上位装置へ出力する。この上位装置は、ゲート通過確認装置１から送信されてきたチケット情報について、適正なチケット情報であるかどうか等の判定を行い、その処理結果をゲート通過確認装置１に送信する。また、ゲート通過確認装置１は、上位装置へ出力したチケット情報についての処理結果を通信部８で受信する。
【００２５】
以下、この発明の実施形態であるゲート通過確認装置１の動作について説明する。図４は、この実施形態のゲート通過確認装置の動作を示すフローチャートである。この実施形態のゲート通過確認装置１は、無線通信部３において、無線通信エリア内に位置している非接触記録媒体１０の検出、およびバーコード読取部４において、読取エリア４ａに位置している２次元バーコード１１の検出を行っている（ｓ１、ｓ２）。ｓ１は、無線通信部３が、非接触記録媒体１０に対するポーリングを数ｍｓ〜１０数ｍｓ間隔で繰り返し行い、このポーリングに対する非接触記録媒体１０からの応答があったときに、無線通信エリア内に位置している非接触記録媒体１０を検出する処理である。ｓ２は、バーコード読取部４が読取位置の走査を繰り返し、２次元バーコードの切り出しシンボル（所謂、ファインダパターン）が検出されたかどうかにより、読取エリア４ａに２次元バーコードが位置しているかどうかを検出する処理である。
【００２６】
なお、ｓ１、ｓ２にかかる処理は、並行して行われている。
【００２７】
ゲート通過確認装置１は、ｓ１で無線通信エリア内に位置している非接触記録媒体１０が検出されると、この非接触記録媒体１０の検出からの経過時間を計測するタイマをスタートさせるとともに、この被接触記録媒体１０からチケット情報を取得する（ｓ３）。このタイマは、制御部２に設けられている。ｓ３では、タイマをリセットしてから、経過時間の計測をスタートしている。また、ｓ３では、無線通信部３において、ｓ１で検出した非接触記録媒体１０に対してチケット情報の送信を要求するコマンドを出力している。無線通信エリア内に位置する非接触記録媒体１０は、ゲート通過確認装置１からのチケット情報の送信要求に応じて、記録しているチケット情報を送信する。ゲート通過確認装置１は、無線通信部３において、非接触記録媒体１０から送信されてきたチケット情報を受信することで、この非接触記録媒体１０からチケット情報を取得する。
【００２８】
ゲート通過確認装置１は、ｓ３で計測を開始した非接触記録媒体１０の検出からの経過時間が予め定められた一定時間経過するか、またはその前に読取エリア４ａ内に位置する２次元バーコード１１が検出されるのを待つ（ｓ４、ｓ５）。
【００２９】
上述したように、無線通信部３の無線通信エリアは、バーコード読取部４の読取エリア４ａの略全体を含み、この読取エリア４ａよりも広い空間である。このため、チケット情報を非接触記録媒体１０に記録する機能、およびチケット情報を記録した２次元バーコード１１を表示する表示機能を併せ持つ携帯電話等の機器が用いられている場合、この非接触記録媒体１０の検出よりも、少し遅れてチケット情報が記録された２次元バーコード１１が検出される可能性がある。このｓ４にかかる一定時間は、利用者が、チケット情報を非接触記録媒体１０に記録する機能、およびチケット情報を記録した２次元バーコード１１を表示する表示機能を併せ持つ携帯電話等の機器において、チケット情報を記録した２次元バーコード１１を表示した表示面を読取エリアに位置させるときに、非接触記録媒体１０の検出タイミングに対して、２次元バーコード１１が検出される遅れ時間に応じて決定している。具体的に言うと、この遅れ時間は、上述したように、利用者が２次元バーコード１１を読取エリア４ａに近づける速度にもよるが、数１００ｍｓ程度であることから、この遅れ時間よりも少し長い１ｓ程度の時間にしている。
【００３０】
ゲート通過確認装置１は、ｓ４で一定時間経過したと判定すると、上位装置に対して、ｓ３で被接触記録媒体１０から取得したチケット情報を通信部８から出力する（ｓ６）。すなわち、ゲート通過確認装置１は、非接触記録媒体１０の検出から一定時間経過しても、２次元バーコード１１が検出されなかったことで、チケット情報が非接触記録媒体１０に記録されていると判定し、非接触記録媒体１０から取得したチケット情報を出力する。上位装置は、ゲート通過確認装置１が出力したチケット情報について、適正であるかどうか等を判定する処理を行い、その処理結果を、今回チケット情報を送信してきたゲート通過確認装置１に送信する。ゲート通過確認装置１は、通信部８において、上位装置からの処理結果を受信すると（ｓ９）、その処理結果に基づく出力処理を行う（ｓ１０）。ｓ１０では、例えば、表示画面５ａにおけるチケット情報に応じた情報の表示処理や、印字部７において通過確認票を印字し発行する発行処理が行われる。
【００３１】
また、ゲート通過装置１は、ｓ４で一定時間経過したと判定する前に、ｓ５で読取位置に位置する２次元バーコード１１を検出すると、バーコード読取部４において検出した２次元バーコード１１からチケット情報を読み取る（ｓ７）。すなわち、ゲート通過確認装置１は、非接触記録媒体１０の検出から一定時間経過するまえに、２次元バーコード１１が検出されたことで、チケット情報が２次元バーコード１１に記録されていると判定し、この２次元バーコード１１に記録されているチケット情報の取得にかかる処理を開始する。チケット情報が２次元バーコード１１に記録されていない利用者が、チケット情報の記録されていない２次元バーコードを表示部に表示したり、表示部に表示した２次元バーコード１１（チケット情報の記録されていない２次元バーコード１１）を装置に読み取らせるために、この２次元バーコードを表示した表示部を装置に近づけることは殆どない。したがって、読取エリア４ａに２次元バーコード１１がかざされた場合には、チケット情報が２次元バーコード１１に記録されていると推定できる。また、ゲート通過確認装置１は、ｓ１で非接触記録媒体１１が検出される前に、ｓ２で２次元バーコード１１を検出すると、ｓ７で検出した２次元バーコード１１からチケット情報を読み取る。ゲート通過確認装置１は、上位装置に対して、ｓ７で読取エリア４ａに位置された２次元バーコード１１から読み取ったチケット情報を通信部８から出力し（ｓ８）、上述したｓ９、ｓ１０にかかる出力処理を行う。
【００３２】
なお、ゲート通過確認装置１は、上位装置において、非接触記録媒体１０または２次元バーコード１１から取得したチケット情報が適正でないと判定された場合、ｓ１０にかかる出力処理として、表示画面５ａにおけるエラー画面の表示処理を実行する。
【００３３】
このように、この実施形態のゲート通過確認装置１は、チケット情報を非接触記録媒体１０に記録する機能と、チケット情報を記録した２次元バーコード１１を表示する機能と、を併せ持つ携帯電話等の機器が利用された場合であっても、チケット情報が非接触記録媒体１０に記録されているのか、２次元バーコード１１に記録されているのかを適正に判定することができる。したがって、チケット情報を非接触記録媒体１０に記録する機能と、チケット情報を記録させた２次元バーコード１１を表示する機能と、を併せ持つ携帯電話等の機器の利用者に対しても、適正な処理が行え、利用者に対するサービスを低下させることもない。
【００３４】
また、無線通信部３のアンテナコイル３ａをバーコード読取部４の読取位置４ａの周囲に設けた構成としているので、非接触記録媒体１０、または２次元バーコード１１のどちらでチケット情報をもっていても、これらを位置させる場所が略同じである。したがって、利用者は、チケット情報を非接触記録媒体１０、または２次元バーコードのどちらで所有しているかにかかわらず、チケット情報が記録されている非接触記録媒体１０、または２次元バーコードを同じ位置にかざせばよいので、利用者の操作性を低下させることがない。また、装置本体の大型化をまねくこともない。
【００３５】
また、この実施形態のゲート通過確認装置１は、バーコード読取部４が読取エリア４ａに位置する２次元バーコード１１検出すると、すぐにチケット情報が２次元バーコード１１に記録されていると判定し、この２次元バーコード１１からチケット情報を取得し、上位装置へ出力するので、２次元バーコード１１にチケット情報が記録されている利用者に対する処理がスムーズに行える。
【００３６】
さらに、この実施形態のゲート通過確認装置１は、非接触記録媒体１０を検出してから、一定時間経過するまでの間、この非接触記録媒体１０から取得したチケット情報の上位装置への出力を待機し、一定時間経過するまえに読取エリア４ａ内に位置する２次元バーコード１１が検出されると、無線通信部３において非接触記録媒体１０から取得したチケット情報の上位装置への出力を行わない、すなわち非接触記録媒体１０から取得したチケット情報の上位装置への出力を中止する、構成であるので、無用なチケット情報を上位装置１へ出力することがない。したがって、上位装置において、無用なチケット情報に対する処理が行われるのを防止できる。
【００３７】
なお、上記実施形態では、ｓ１で非接触記録媒体１０を検出すると、ｓ３で、この非接触記録媒体１０からチケット情報を取得するとしたが、ｓ４で一定時間経過したと判定されるまで、この非接触記録媒体１０からのチケット情報の取得を待機させるようにしてもよい。具体的には、図４に示したｓ３にかかる処理を、非接触記録媒体１０の検出からの経過時間を計測するタイマをスタートさせる処理とし、ｓ４で一定時間経過したと判定されたときに、非接触記録媒体１０からのチケット情報の取得にかかる処理を実行し、その後ｓ６以降にかかる処理を行う構成としてもよい。このようにすれば、ｓ１で検出した被接触記録媒体１０に対する無用なチケット情報の取得にかかる処理を中止させることができ、装置本体の負荷を低減することができる。
【００３８】
また、上記実施形態では、本願発明をゲート通過確認装置１に適用した場合を例にして説明したが、航空券を発券する発券装置等、他の機器に適用することもできる。発券装置に適用する場合には、印字部７において、航空券を印字して発券する構成とすればよい。
【００３９】
また、チケット情報が記録されるバーコードは、２次元バーコード１１に限定されることはなく、１次元のバーコードであってもよい。
【図面の簡単な説明】
【００４０】
【図１】この発明の実施形態であるゲート通過確認装置の外観図を示す図である。
【図２】この発明の実施形態であるゲート通過確認装置の構成を示すブロック図である。
【図３】この実施形態のゲート通過確認装置における、無線通信エリア、および読取エリアを示す図である。
【図４】この実施形態のゲート通過確認装置の動作を示すフローチャートである。
【符号の説明】
【００４１】
１−ゲート通過確認装置
２−制御部
３無線通信部
３ａ−アンテナ
４−バーコード読取部
５−表示部
６−操作部
７−印字部
【図１】
2007193390.tif 000003
【図２】
2007193390.tif 000004
【図３】
2007193390.tif 000005
【図４】
2007193390.tif 000006